(57)【要約】衛生順守モジュールは、衛生順守監視機能を使用可能にするよう、適合するディスペンサでもって改良されるように構成される。衛生順守モジュールは、そこから電力、接地、およびディスペンサ作動信号を受信するよう、通信インターフェースを介してディスペンサに連結されるように構成される。加えて、衛生順守モジュールは、ディスペンサのユーザによって身に着けられている無線データタグと、遠隔の衛生順守監視ステーションと通信することが可能である。
2013543757.tif 000002
【特許請求の範囲】
【請求項１】
アクチュエータが材料を分注するように係合される時に、作動信号を通信インターフェースに供給するディスペンサコントローラを有するディスペンサのための、衛生順守モジュールであって、
前記ディスペンサの前記通信インターフェースに連結されるように適応するカードと、
前記カード上に配置され、前記作動信号を分注事象データとして検出するように構成されるモジュールコントローラと、
前記モジュールコントローラに連結される送信機及び受信機であって、前記受信機が無線データタグから識別コードを無線で受信するように構成される、送信機及び受信機と、
を備え、
前記ディスペンサの前記アクチュエータが係合される時に、前記モジュールコントローラは、前記データタグの前記識別コードを前記分注事象データと関連付け、前記コード及び前記分注事象データを、前記送信機を介して衛生順守監視ステーションへ送信する、衛生順守モジュール。
【請求項２】
前記モジュールコントローラは、前記ディスペンサが認証コードを無効であると判定する場合、前記モジュールコントローラが少なくとも部分的に使用不可能であり、前記認証コードが有効な場合、前記モジュールコントローラが完全に使用可能であるように、前記ディスペンサによって評価される前記認証コードを含む、請求項１に記載の衛生順守モジュール。
【請求項３】
前記ディスペンサの前記動作は、前記識別コードが前記モジュールコントローラによって認証されるまで使用不可能である、請求項２に記載の衛生順守モジュール。
【請求項４】
前記送信機は、認証のため前記識別コードを前記監視ステーションに送信する、請求項３に記載の衛生順守モジュール。
【請求項５】
前記識別コードがいつ認証されたかを示す、前記モジュールコントローラに連結された第１の指標をさらに備える、請求項１に記載の衛生順守モジュール。
【請求項６】
前記分注事象がいつ完了したかを示す、前記モジュールコントローラに連結された第２の指標をさらに備える、請求項１に記載の衛生順守モジュール。
【請求項７】
作動端末を有する通信インターフェースを有するディスペンサを提供することと、
衛生順守モジュールを前記通信インターフェースに連結することと、
識別コードを前記衛生順守モジュールに無線で送信するデータタグを提供することと、
前記衛生順守モジュールにて前記作動端末を監視することと、
前記ディスペンサから材料を分注することと、
前記衛生順守モジュールにある前記作動端末上の作動信号を、分注事象データとして検出することと、
前記識別コードを前記分注事象データと関連付けることと、
を含む、ディスペンサにて衛生順守監視機能性を使用可能にする方法。
【請求項８】
前記識別コード及び前記関連付けられた分注事象を遠隔の衛生順守監視ステーションに送信することをさらに含む、請求項７に記載の方法。
【請求項９】
前記ディスペンサの動作を使用不可能にすることと、
前記識別コードを認証することと、
前記識別コードが認証される場合、前記ディスペンサの動作を使用可能にすることと、
をさらに含む、請求項７に記載の方法。
【請求項１０】
アクチュエータが材料を分注するように係合される時に、作動信号を通信インターフェースに供給するディスペンサコントローラを有するディスペンサのための、衛生順守モジュールであって、
前記ディスペンサの前記通信インターフェースに連結されるように適応するカードと、
前記カード上に配置され、前記作動信号を分注事象データとして検出するように構成されるモジュールコントローラと、
前記モジュールコントローラに連結される送信機と、
を備え、
前記ディスペンサアクチュエータが係合される時、前記モジュールコントローラは、前記送信機を介して監視ステーションに前記分注事象データを送信する、衛生順守モジュール。
【請求項１１】
前記モジュールコントローラは、前記ディスペンサが認証コードを無効であると判定する場合、前記モジュールコントローラが少なくとも部分的に使用不可能であり、前記認証コードが有効な場合、前記モジュールコントローラが完全に使用可能であるように、前記ディスペンサによって評価される前記認証コードを含む、請求項１０に記載の衛生順守モジュール。
【請求項１２】
前記識別コードがいつ認証されたかを示す、前記モジュールコントローラに連結された第１の指標をさらに備える、請求項１０に記載の衛生順守モジュール。
【請求項１３】
前記分注事象がいつ完了したかを示す、前記モジュールコントローラに連結された第２の指標をさらに備える、請求項１０に記載の衛生順守モジュール。
【請求項１４】
構成コードに従い構成される通信インターフェースと、アクチュエータが材料を分注するように係合される時に、作動信号を前記通信インターフェースに提供するディスペンサコントローラと、を有する衛生順守モジュールであって、
前記ディスペンサの前記通信インターフェースに連結されるように適応するカードと、
前記カード上に配置され、前記通信インターフェースを通して前記ディスペンサと適合して通信するよう、前記構成コードに従い修正されるように構成される、モジュールコントローラと、
前記モジュールコントローラに連結される送信機と、
を備え、
前記ディスペンサアクチュエータが係合される時に、前記モジュールコントローラは、前記作動信号を分注事象データとして検出し、前記分注事象データを前記送信機を介して監視ステーションに送信する、衛生順守モジュール。
【請求項１５】
無線データタグから識別コードを受信するように構成され、前記モジュールコントローラに連結される受信機をさらに備え、
前記コントローラは、前記データタグの前記識別コードを前記分注事象と関連付け、前記識別コード及び前記分注事象データを前記監視ステーションに送信する、請求項１４に記載の衛生順守モジュール。
【請求項１６】
前記識別コードがいつ認証されたかを示す、前記モジュールコントローラに連結された第１の指標をさらに備える、請求項１４に記載の衛生順守モジュール。
【請求項１７】
前記分注事象がいつ完了したかを示す、前記モジュールコントローラに連結された第２の指標をさらに備える、請求項１４に記載の衛生順守モジュール。
【発明の詳細な説明】
【技術分野】
【０００１】
本発明は、概して、ソープディスペンサ等のディスペンサに関する。特に本発明は、衛生順守監視機能を使用可能にするように、既存のディスペンサを改良されることができる、衛生順守モジュールに関する。
【背景技術】
【０００２】
近年、市民は、益々疾患及びその伝播を心配するようになるなど一般的に洗浄及び衛生の重要性への認識が高まっている。例えば、外食産業における大腸菌、小学校におけるライノウイルス、及び医療機関内における院内の疾患の伝播に関して、数々の研究で、疾患の伝播を防ぐための効果的な対策として、手指衛生に言及している。それに対して、医療産業、外食産業、ならびにホテル及び旅行産業では、職員が、疾患の伝播防止において効果的である、手の消毒習慣を身に付けていることを保証するために、手順書及び手順を検証するように強いられてきた。
【０００３】
それに対して、個人が石鹸及び消毒剤へのアクセスを有する十分な機会を提供する努力として、多くの機関及び産業が、個人が自分たちの手を清潔にし消毒することを可能にするように、据え付けのディスペンサ数を増やしてきた。石鹸及び消毒剤が利用可能になることで、個人が自分たちの手を洗浄又は消毒する機会が増えてきた一方、所定の手洗い衛生基準の順守は未だ欠いている。さらに、一人の個人が自分の手を適切に消毒しないことが、このような個人と接触することになる、他人の努力を台無しにし得ることから、手洗いによるバクテリア又はウイルス伝播の可能性を最小化するために、衛生基準の完全な順守は守られなければならない。
【０００４】
所望のレベルの衛生順守を達成するために、多くの機関は、識別された個人に対して、ディスペンサの使用を追跡することができる、ディスペンサを含む衛生順守監視システムを採用している。残念ながら、衛生順守監視機能性を欠く、既に据え付けられた多数の既存のディスペンサを持つ事業体には、それらのディスペンサと、衛生順守特性を有する新しいディスペンサとの全面的な交換が必要であろうし、それには費用がかかり、多くの状況において実現不可能である。
【発明の概要】
【発明が解決しようとする課題】
【０００５】
それゆえ、衛生順守監視特性を提供するように、以前に据え付けたディスペンサでもって改良することができる、衛生順守モジュールに対するニーズがある。加えて、衛生順守監視機能性を提供するように、既存のディスペンサでもって使いやすい方式に改良することができる、衛生順守モジュールに対するニーズがある。さらに、前に据え付けたディスペンサでもって改良することができ、かつ衛生順守モジュールが取り付けられるディスペンサによって提供される電源により電力が供給される、衛生順守モジュールに対するニーズがある。また、前に据え付けたディスペンサでもって改良される時、衛生順守モジュールが、ディスペンサによって認証されていたかどうかにより、使用可能又は使用不可能である、衛生順守モジュールに対するニーズもある。
【課題を解決するための手段】
【０００６】
前述を考慮すると、アクチュエータが、材料を分注するように係合される時に、作動信号を通信インターフェースに供給するディスペンサコントローラを有するディスペンサのための、衛生順守モジュールを提供することが、本発明の第１の態様であり、衛生順守モジュールは、ディスペンサの通信インターフェースに連結されるように適応するカードと、カード上に配置され、作動信号を分注事象データとして検出するように構成されるモジュールコントローラと、モジュールコントローラに連結される送信機及び受信機であって、受信機が無線データタグから識別コードを無線で受信するように構成される、送信機及び受信機とを備え、ディスペンサのアクチュエータが係合される時に、モジュールコントローラは、データタグの識別コードを分注事象データと関連付け、コード及び分注事象データを、送信機を介して衛生順守監視ステーションに送信する。
【０００７】
作動端末を有する通信インターフェースを有するディスペンサを提供することと、衛生順守モジュールを通信インターフェースに連結することと、識別コードを衛生順守モジュールに無線で送信するデータタグを提供することと、衛生順守モジュールにて作動端末を監視することと、ディスペンサから材料を分注することと、衛生順守モジュールにある作動端末上の作動信号を、分注事象データとして検出することと、識別コードを分注事象データと関連付けることとを含む、ディスペンサにて衛生順守監視機能性を使用可能にする方法を提供することが、本発明の別の態様である。
【０００８】
アクチュエータが材料を分注するように係合される時に、作動信号を通信インターフェースに供給するディスペンサコントローラを有するディスペンサのための、衛生順守モジュールを提供することが、本発明のまた別の態様であり、衛生順守モジュールは、ディスペンサの通信インターフェースに連結されるように適応するカードと、カード上に配置され、作動信号を分注事象データとして検出するように構成されるモジュールコントローラと、モジュールコントローラに連結される送信機とを備え、ディスペンサアクチュエータが連結される時、モジュールコントローラは、送信機を介して監視ステーションに分注事象データを送信する。
【０００９】
構成コードに従い構成される通信インターフェースと、アクチュエータが材料を分注するように係合される時に、作動信号を通信インターフェースに提供するディスペンサコントローラとを有する衛生順守モジュールを提供することが、本発明のさらなる態様であり、衛生順守モジュールは、ディスペンサの通信インターフェースに連結されるように適応するカードと、カード上に配置され、通信インターフェースを通してディスペンサと適合して通信するよう、構成コードに従い修正されるように構成される、モジュールコントローラと、モジュールコントローラに連結される送信機とを備え、ディスペンサアクチュエータが係合される時に、モジュールコントローラは、作動信号を分注事象データとして検出し、分注事象データを送信機を介して監視ステーションへ送信する。
【図面の簡単な説明】
【００１０】
本発明のこれらのならびに他の特性及び利点は、以下の記載、添付の特許請求項の範囲、及び付随する図面に関して、より良く理解されるであろう。
【００１１】
【図１】本発明の概念に従う、衛生順守モジュールの分解斜視図である。
【図２】本発明の概念に従う、衛生順守モジュールの後方部分の斜視図である。
【図３】本発明の概念に従う、その後部カバーが取り付けられ、その前部カバーが除去された、衛生順守モジュールの斜視図である。
【図４】本発明の概念に従う、そこに取り付けられたその前後部カバーを有する、衛生順守モジュールの斜視図である。
【図５】本発明の概念に従う、そこに取り付けられたその前後部カバーを有する、衛生順守モジュールの別の斜視図である。
【図６】本発明の概念に従う、衛生順守モジュールを伴う使用に対して適合する、ディスペンサの概略図である。
【図７】本発明の概念に従う、衛生順守モジュールを伴い改良されるように構成される、ディスペンサの概略図である。
【図８】本発明の概念に従う、そこに取り付けられた衛生順守モジュールを有する、ディスペンサの斜視図である。
【図９Ａ】本発明の概念に従う、衛生順守モジュールの改良された接続を使用可能にする通信インターフェースを示す、ディスペンサの立面図である。
【図９Ｂ】本発明の概念に従う、ディスペンサの通信インターフェースに連結された衛生順守モジュールを示す、ディスペンサの立面図である。
【図１０】本発明の概念に従う、改良された衛生順守モジュールが、そこを通って無線でデータを伝達することを可能にする、ディスペンサの斜視図である。
【発明を実施するための最良の形態】
【００１２】
衛生順守モジュールは、概して、図面の図１〜６に示す通り、数字の１０で称される。衛生順守モジュール１０は、対向する内面及び外面３０Ａ及び３０Ｂを有する、ライザーカード２０と、対向する内面及び外面５０Ａ及び５０Ｂを有するメインカード４０とを備える。ライザーカード２０及び、回路基板を備えるメインカード４０は、議論する方式で共に連結される。しかしながら、ライザーカード及びメインカード２０、４０は、単一の統合カード構造を形成するように、一体化されてもよいことは理解されるべきである。ライザーカード２０は、ピン７０Ａ〜Ｈにそれぞれ連結される、複数の電気接点６０Ａ〜Ｈを備える、エッジコネクタ５２を含む。ピン７０Ａ〜Ｈは、ピン７０Ａ〜Ｈが、メインカード４０によって提供される、それぞれの接続ブロック８０Ａ〜Ｈで終結する、ライザーカード２０の内面３０Ａと実質的に平行になるために、ライザーカード２０を通って延在し、実質的に右の各角に延在する。接続ブロック８０Ａ〜Ｈは、それぞれのピン６０Ａ〜Ｈを支持し、それらが、メインカード４０によって提供される、対応する接触開口部９０Ａ〜Ｈの中に延在することを可能にする。従って、接触開口部９０Ａ〜Ｈは、議論する衛生順守モジュール１０によって提供される種々の電気部品に、エッジコネクタ５２の接点６０Ａ〜Ｈを、電気的に連結させる。具体的には、ライザーカード２０のエッジコネクタ５２は、議論するモジュール１０によって提供される種々の衛生順守監視機能を使用可能にするように、図６に示すソープディスペンサ等の通信ポート等のディスペンサ１１０によって提供される電力、接地、及び作動信号にアクセスするために、通信ポートなどの通信インターフェース１００に接続するように構成される。１つの態様では、接点６０Ａ、６０Ｇ、及び６０Ｈは、通信インターフェース１００によって提供される、それぞれの接地、電力、及び作動信号を受信するように構成される。
【００１３】
メインカード４０の外面５０Ｂ上に配置されているのは、議論する機能を実施する必要がある、必要なハードウェア、ソフトウェア、及び／又はメモリで構成されるモジュールコントローラ２００である。エッジコネクタ５２の接点６０Ａ〜Ｈに連結されることに加えて、モジュールコントローラ２００は、ＩＲ（赤外線）受信機２１０、ＩＲ（赤外線）送信機２１２、及びＲＦ（無線周波数）送受信機２２０に連結される。従って、図１０に示す通り、ＩＲ受信機２１０及びＲＦ送受信機２２０は、個人によって身に着けられている、ＲＦＩＤ（無線周波数識別）タグ等のデータタグ２５０、及び遠隔の衛生順守監視ステーション２５２と無線で通信するように構成される。データタグ２５０及び監視ステーション２５２は、順守モジュール１０の動作と適合する、ＩＲもしくはＲＦ信号を送信及び／又は受信するように構成されてもよい。加えて、衛生順守監視ステーション２５２は、順守モジュール１０から無線で転送される、衛生順守データを獲得及び整理するように構成される、いかなる好適なコンピュータシステムを備えていてもよい。代替的に、衛生順守監視ステーション２５２は、それらの動作パラメータのうちの１つ以上を変更するか、そうでなければ修正するよう、設定データを順守モジュール１０及び／又はディスペンサ１１０に送信するように構成されてもよい。さらに、また、順守モジュール１０は、ＲＦ信号のみ、ＩＲ信号のみ、又はいかなるそれらの組み合わせを使用して、データタグ２５０及び監視ステーション２５２と通信してもよく、従って、本明細書で議論する機能を実施するために必要である、ある特定の通信信号を送信及び受信するために必要な、ある特定のＩＲ又はＲＦ送信機及び受信機のみが、順守モジュール１０によって提供されると考えられる。１つの態様では、ＲＦ送受信機２２０は、ＲＦ送信機としてのみ構成されてもよいことは理解されるべきである。
【００１４】
メインカード４０はまた、ＬＥＤ（発光ダイオード）、又は音源等の可聴表示手段を含むいずれの他の好適な表示手段を備える、一対の視覚的指標２６０及び２７０も含む。具体的には、指標２６０は、データタグ２５０が、モジュールコントローラ２００によって、いつ認識又は認証されるかを識別するように、視覚的又は可聴プロンプトを提供する一方、指標２７０は、ディスペンサ１１０が、データタグ２５０を身に着けている個人に、いつ材料を分注したかを識別するように、視覚的プロンプトを提供する。
【００１５】
衛生順守モジュール１０は、図１及び３〜５に示す通り、メインカード４０及びライザーカード２０の一部分を取り囲むのに役立つ、前後部カバー３００及び３１０から成る保護筺体２８０を含む。前部カバー３００は、個人が指標２６０及び２７０を眺めることを可能にする、透明な、又は少なくとも部分的に透明な視界窓３５０を含む。加えて、視界窓３５０はまた、衛生順守モジュール１０から、及び衛生順守モジュール１０へ伝達される、無線ＩＲ（赤外線）及びＲＦ（無線周波数）信号の通路に対して、電気的に透過であるようにも構成される。前後部カバー３００及び３１０は、例えば、ねじ又は接着剤を含む、固定のいかなる好適な手段を使用して、共に保持される。保護筺体２８０は、例えば、プラスチックといったいかなる好適な材料から形成されてもよいことは、理解されるべきである。
【００１６】
ディスペンサ１１０は、いかなる好適な材料を分注するように構成されてもよいが、衛生順守モジュール１０は、図６〜１０に示す通り、例えば、石鹸、消毒剤、又は保湿剤ディスペンサを含んでもよい、ディスペンサ１１０でもって改良されるように構成される。ディスペンサ１１０は、ディスペンサ１１０に可撤的に取り付けられる、交換可能な詰め替え容器４００から液体材料を分注するように構成される。詰め替え容器４００は、例えば、石鹸、消毒剤、又は保湿剤といった、いかなる所望の材料を含有してもよい。ディスペンサ１１０は、議論する機能を実施するために必要である、必要なハードウェア及び／又はソフトウェアを提供する、コントローラ４１０を含む。コントローラ４１０は、個人の手の存在を自動的に検出することができる、バイオメトリックセンサ又は近接センサを備えてもよい、アクチュエータ４２０に連結する。アクチュエータ４２０はまた、個人によって手動で押し下げられるように構成される、機械スイッチ又はボタンを備えてもよい。ディスペンサ１１０はまた、コントローラ４１０に連結される、ポンプ４３０も含み、アクチュエータ４２０が係合される時、そこに流体連結される詰め替え容器４００から、所定の量の液体材料を分注するように制御される。例えば、アクチュエータ４２０が近接センサを備える場合、コントローラ４１０は、アクチュエータ４２０が、個人の手の存在を検出する時、ポンプ４３０に詰め替え容器４００から液体材料の量を分注させる。
【００１７】
ディスペンサ１１０は、バッテリ等の電源４４０によって電力を供給されるか、又は太陽電池、もしくは電気コンセントによって提供されるＡ．Ｃ．（交流）本線からの電力等、いずれの他の好適な電源によって電力を供給されてもよい。
【００１８】
ディスペンサ１１０を伴う衛生順守モジュール１０の改良を促進するために、通信インターフェース１００が利用される。具体的には、通信インターフェース１００は、ディスペンサ１１０のコントローラ４１０に連結され、従って、ディスペンサ１１０の動作中、コントローラ４１０から生成される対応する信号をその上に提供する電力、接地、ならびに作動端末４６０、４７０、及び４８０にアクセスするための電気的インターフェースを提供する。従って、モジュール１０のエッジコネクタ５２が、通信インターフェース１００の中に挿入される時、接点６０Ａ、６０Ｇ、及び６０Ｈは、それぞれの端末４６０、４７０、４８０によって供給される接地、電力、及び作動信号を、衛生順守モジュール１０のモジュールコントローラ２００に連結する。また、接点６０Ｂ〜Ｆは、分注コントローラ４１０が、ディスペンサ１１０及び順守モジュール１０がそれ用に構成されていた、許可済み順守モジュール１０のみと通信することを保証するように、認証のために衛生順守モジュール１０のコントローラ２００によって利用されることも理解されるべきである。以下でより詳細に議論する、このようなシステムは、無許可の順守モジュール１０、又は通信インターフェース１００の中に挿入されるいずれの他の電気デバイスが、分注コントローラ４１０と通信するのを防止する。
【００１９】
ディスペンサ１１０の基本動作が説明されて、以下の議論では、これから、衛生順守モジュール１０がディスペンサ１１０でもって改良される方式を提示する。具体的には、順守モジュール１０は、電気接点６０Ａ〜Ｈを有するエッジコネクタ５２が、図７〜１０に示す通り、通信インターフェース１００内で受容されるように、相互作用されるか、又はそうでなければディスペンサ１１０の中に差し込まれ、モジュール１０がコントローラ４１０と電気的に通信することを可能にする。順守モジュール１０が、ディスペンサ１１０の通信インターフェース１００に連結されると、順守モジュール１０は、ディスペンサ１１０の対応する端末４６０、４７０、４８０によって提供される電力、接地、及び作動信号にアクセスすることができる。特に、衛生順守モジュール１０は、ディスペンサ１１０の電源４４０及びコントローラ４１０に連結される、通信インターフェース１００の端末４６０、４８０上で提供される、電力及び接地信号によって電力を供給される。加えて、アクチュエータ４２０が係合される時、材料を分注するようにポンプ４３０を作動させる、ディスペンサコントローラ４１０によって生成される、通信インターフェース１００の端末４７０上に提供される作動信号は、モジュール１０によって処理され、議論する種々の衛生順守監視機能を実施するように使用される。また、分注事象が発生する時、ディスペンサコントローラ４１０によって生成される、別個の作動信号（及び接点６０Ｈ）を使用する代わりに、ディスペンサコントローラ４１０は、分注事象がいつ発生するかを示すよう、衛生順守モジュール１０に電力を選択的に供給するように構成されてもよいことも、理解されるべきである。従って、順守モジュール１０は、分注事象が起こる度に、本明細書で議論する機能を実施するように、電力が供給され動作させられるであろう。
【００２０】
衛生順守モジュール１０は、ＲＦＩＤ（無線周波数識別）タグ又は他の通信デバイス等の無線データタグ２５０、及び遠隔の衛生順守ステーション２５２との無線通信を通して、衛生順守データを収集及び共有するように構成される。特に、無線データタグ２５０は、彼又は彼女の手の上に材料の量を分注するように、ディスペンサ１１０とかかわり合っている、医療提供者等の個人によって身に着けられるように構成される。データタグ２５０を身に着けている個人が、そこから材料を分注するように、ディスペンサ１１０によって提供されるアクチュエータ４２０を作動させる時、ディスペンサコントローラ４１０は作動信号を生成する。作動信号は、材料の分注を完了するよう、ポンプ４３０を作動させるように使用され、また、通信インターフェース１００の端末４８０によって、衛生順守モジュール１０のモジュールコントローラ２００にも運ばれる。通信インターフェース１００を介する作動信号の受信により、個人が詰め替え容器４００から材料を分注した時に、分注事象が発生したことを順守モジュール１０に示す。作動信号が順守モジュールコントローラ２００によって受信されると、各データタグ２５０と関連付けられる固有の識別コードは、ＩＲ受信機２１０（ＩＲ送信データタグ２５０の場合）又はＲＦ送受信機２２０（ＲＦ送信データタグ２５０の場合）を介して無線で獲得され、ＩＲ送信機２１２又はＲＦ送受信機２２０を介して、衛生順守データとして、遠隔の衛生順守監視ステーション２５２に無線で伝達される前に、分注事象が発生したことを示す分注事象データと組み合わせられるか、そうでなければ関連付けられる。代替的に、順守モジュール１０は、順守モジュール１０が、データタグ２５０の識別コードを分注事象データと関連付けないような、匿名方式で衛生順守データを収集するように構成されてもよい。
【００２１】
さらに、順守モジュール１０は、順守モジュール１０のみが識別コード等のデータをデータタグ２５０から受信する一方向方式、又は順守モジュール１０がデータをデータタグ２５０から受信し、データをデータタグ２５０に送信する双方向方式で、データタグ２５０と通信するように構成されてもよい。同様に、順守モジュール１０は、順守モジュール１０のみが順守データを監視ステーション２５２に送信する一方向方式、又は順守モジュール１０が衛生順守データを監視ステーション２５２に送信し、モジュール１０によって提供される機能の修正と関連付けられる動作設定データ等のデータを、監視ステーション２５２から受信する双方向方式で、監視ステーション２５２と通信するように構成されてもよい。例えば、順守モジュール１０は、順守モジュール１０が、データタグ２５０からＩＲ受信機２１０を介してデータを受信し、ＲＦ送信機を使用して、順守監視ステーション２５２にデータをフォワードするような、ＩＲ受信機２１０及びＲＦ送信機のみで構成されてもよい。
【００２２】
加えて、指標２６０及び２７０は、順守モジュール１０が、データタグ２５０をディスペンサ１１０にアクセスし使用するように許可されているといつ認証したか、及びディスペンサ１１０が分注事象をいつ完了したかを示すようにそれぞれ構成される。１つの態様では、衛生順守モジュール１０は、データタグ２５０と関連付けられた固有の識別コードを獲得し、ディスペンサ１１０の動作が使用可能になる前に、認証のため遠隔の衛生順守監視ステーション２５２にそれを無線で送信してもよい。遠隔の衛生順守監視ステーション２５２は、データタグ２５０の識別コードを許可されていると認証する場合、個人がディスペンサ１１０から材料を分注することを可能にするように、ディスペンサ１１０の動作を限定された期間使用可能にする、衛生順守モジュール１０に承認コードを無線で送信する。
【００２３】
さらに、順守モジュール１０の接点６０Ｂ〜Ｆは、ディスペンサ１００の電力端末４７０及び接地端末４６０に選択的に接続されてもよい。これにより、順守モジュールコントローラ２００が、ディスペンサコントローラ４１０によって受信される、５ビットの認証コード等のコードを生成することを可能にする。ディスペンサコントローラ４１０は、コードが有効かどうかを判定するように、ディスペンサコントローラ４１０又は順守監視ステーション２５２に記憶されたコードに対して、認証コードを評価する。ディスペンサコード４１０が、コードは有効であると判定する場合、ディスペンサ１１０及び順守モジュール１０は、動作可能なままの状態を継続するであろう。しかしながら、ディスペンサ１１０が、コードは無効であると判定する場合、モジュール１０及び／又はディスペンサ１００は、完全に又は部分的に使用不可能になってもよい。例えば、無効なコードの場合、ディスペンサ１１０は、それと相互作用する衛生順守モジュール１０が、ディスペンサ１００によって認識されないであろうか、又は順守モジュール１０によって提供される機能が限定されてもよいように、部分的に使用不可能になってもよい。それゆえ、無許可のデバイスが、有効なコードを生成し損ねる、インターフェース１００に連結される事象では、デバイス及び／又はディスペンサ１０は、完全に又は部分的に使用不可能である。このようなシステムは、無許可の順守モジュール１０が、ディスペンサ１１０と共に使用されることを防止する点で有益である。
【００２４】
別の態様では、ディスペンサコントローラ４１０は、インターフェース１００を通って供給され、順守モジュール１０のモジュールコントローラ２００に連結する接点６０Ｂ〜Ｆを介して受信される、５ビットのコード等の構成コードを生成するように構成されてもよい。構成コードは、ディスペンサ１１０と順守モジュール１０との間の通信中、ディスペンサコントローラ４１０によって利用されるべき、特定の通信構成を識別する。従って、モジュールコントローラ２００は、構成コードの意味を解釈することができ、また、構成コードによって識別される特定の接点６０Ｂ〜Ｆが、ディスペンサコントローラ４１０との適合する通信が発生するよう、構成コードの中で定義される特定の方式において使用されるように、接点６０Ｂ〜Ｆに連結される通信ポート等のその内部部品を物理的に構成することもできなくてはならない。それゆえ、モジュールコントローラ２００が、使用される正しい接点６０Ｂ〜Ｆと、ディスペンサ１１０から受信される構成コードからディスペンサ１１０によって発生する、適合する通信に対して必要とされる、各接点６０Ｂ〜Ｆに割り当てられる正しい機能とを識別しない場合、順守モジュール１０は、衛生順守機能をディスペンサ１１０に提供することができないであろう。加えて、ディスペンサ１１０によって供給される構成コードは、所定の又は無作為の間隔で、ディスペンサ１０によって周期的に変更されてもよいか、又はデータ又は電子信号が順守モニタ１０に送られる度に変更されてもよい。さらに、特定の方式で構成又は利用される、順守モジュール１０のハードウェア部品（接点６０Ｂ〜Ｆ）を必要とすることによって、安全性レベルの追加が提供され、無許可の順守モジュールがディスペンサ１１０と相互作用することをさらに防止する。
【００２５】
それゆえ、本発明の１つの利点は、衛生順守モジュールが、衛生順守監視機能性を提供するよう、据え付けられたディスペンサでもって改良されるように構成されることであることは理解されるであろう。本発明の別の利点は、衛生順守モジュールが、そこへ改良される時に、ディスペンサの電源を利用することができることである。本発明のまた別の利点は、衛生順守モジュールが、そこへ改良される時に、衛生順守監視機能を提供するために、ディスペンサの作動信号を利用することができることである。本発明のさらに別の利点は、許可済み衛生順守モジュールが、ディスペンサと相互作用する場合、ディスペンサ及び／又は衛生順守モジュールは、完全に又は部分的に使用不可能になってもよいことである。
【００２６】
本発明について、ある実施形態を参照してかなり詳細に記載してきたが、他の実施形態も可能である。それゆえ、添付の特許請求の範囲の精神及び範囲は、本明細書に含有される実施形態に限定されるべきではない。
【図１】
2013543757.tif 000003
【図２】
2013543757.tif 000004
【図３】
2013543757.tif 000005
【図４】
2013543757.tif 000006
【図５】
2013543757.tif 000007
【図６】
2013543757.tif 000008
【図７】
2013543757.tif 000009
【図８】
2013543757.tif 000010
【図９Ａ】
2013543757.tif 000011
【図９Ｂ】
2013543757.tif 000012
【図１０】
2013543757.tif 000013
【国際調査報告】
2013543757.tif 000014
2013543757.tif 000015
2013543757.tif 000016